(57)【要約】【課題】本発明はメガネレンズ曇り止めマスクを開示した。【解決手段】フェイスカバーを含み、前記フェイスカバーの中には後方に開口している上向きの呼吸チャンバが設けられ、前記呼吸チャンバの頂端端面には伸縮できる多重スライドドアが設けられ、前記多重スライドドアの下側と前記フェイスカバーの頂端端面の間には圧縮バネが連結され、前記多重スライドドアの上側には鼻覆い部品が設けられ、本発明は構造が簡単であり、調整可能の固定構造により異なった鼻筋の高さと顎の長さとを対応でき、密封性を保証し、同時に、気体ガイドの方式により呼気を濾過し冷却させ、温かい呼気の上昇によりメガネが曇る確率を下げる。【選択図】図１
2020176363.tif 000002
【特許請求の範囲】
【請求項１】
フェイスカバーを含み、前記フェイスカバーの中には後方に開口している上向きの呼吸チャンバが設けられ、前記呼吸チャンバの頂端端面には伸縮できる多重スライドドアが設けられ、前記多重スライドドアの下側と前記フェイスカバーの頂端端面の間には圧縮バネが連結され、前記多重スライドドアの上側には鼻筋とくっつくことができる鼻覆い部品が設けられ、前記呼吸チャンバの中には前記多重スライドドアの下端に位置しているノーズパッド装置が左右に対称的に設けられ、前記呼吸チャンバの内壁には前記ノーズパッド装置の下端に位置している直角管が左右に対称的に連通するように設けられ、前記直角管の上端には冷却箱が固定的に連結され、前記冷却箱の中には直角管と連通するように連結された吸気口が設けられ、前記冷却箱の中には転化装置が設けられ、前記呼吸チャンバの内壁には左右に対称する冷却管が連通するように設けられ、前記冷却管の中には上下に対称する片開きドアが回転できるように連結され、前記冷却管の中には前記片開きドアのうち前記呼吸チャンバから離れている側に位置している位置制限リングが設けられ、前記呼吸チャンバの底端内壁には挟み装置が設けられ、
前記多重スライドドアと、前記ノーズパッド装置と前記挟み装置との間の調整協働を移動することにより、前記フェイスカバーを口と鼻とのところに固定して密封し、温かい呼気が前記冷却箱を経由して前記転化装置の中に入り、呼気が降温し濾過された後にまた前記冷却管を経由して改めて呼吸チャンバの中に戻り、温かい呼気の上昇量を下げることを特徴とするメガネレンズ曇り止めマスク。
【請求項２】
前記ノーズパッド装置は前記呼吸チャンバの内壁に固定的に連結された且つ左右に対称するスライドレールを含み、前記スライドレールの中には伸縮ロッドがスライドできるように連結され、前記伸縮ロッドのうち対称中心から離れている側端面と前記スライドレールのうち対称中心に近接している側内壁との間には調整バネが連結され、前記伸縮ロッドには前記伸縮ロッドと弾性的に連結された調整板が回転できるように連結され、
前記伸縮ロッドが前記スライドレールでスライドすることにより間隔を調整し、また前記調整板の反転により鼻筋にくっつくことができることを特徴とする請求項１に記載のメガネレンズ曇り止めマスク。
【請求項３】
前記転化装置には前記冷却箱の中に設けられ、且つ前記吸気口と連通している転化チャンバが含まれ、前記転化チャンバの中には前記冷却管と連通するように連結された排気口が設けられ、前記冷却箱の中には前記転化チャンバの後端に位置している伝動チャンバが設けられ、前記転化チャンバの後端内壁には駆動軸が回転できるように設けられ、前記駆動軸には前記転化チャンバの中に回転できるローターが設けられ、前記駆動軸には前記伝動チャンバの中に位置している下プーリーが設けられ、前記転化チャンバの頂端内壁には凹溝が連通するように設けられ、前記冷却箱の中には前記凹溝の上端に位置している開閉チャンバが設けられ、前記開閉チャンバの底端内壁にはスライドロッドがスライドできるように連結され、前記スライドロッドには前記凹溝の中に位置しているバルブが設けられ、前記スライドロッドには前記開閉チャンバの中に位置している当接板が設けられ、前記当接板の下側と前記開閉チャンバの底端内壁との間には復帰バネが連結され、前記開閉チャンバの後端内壁の中には伝動軸が回転できるように設けられ、前記伝動軸には前記当接板と当接しているカムが設けられ、前記伝動軸には前記伝動チャンバの中に位置している上プーリーが設けられ、前記上プーリーと前記下プーリーとの間にはベルトが連結され、前記冷却箱の中には前記凹溝のうち対称中心から離れている側に位置しており、且つ前記バルブと連通するように連結された保存チャンバが設けられ、
前記ローターの回転により、前記バルブと前記保存チャンバとを連通させ、呼気を冷却し浄化させ、そして排気口から排出することを特徴とする請求項１に記載のメガネレンズ曇り止めマスク。
【請求項４】
前記挟み装置には前記呼吸チャンバの底端内壁に固定的に連結され、且つ左右に対称する弾性布が含まれ、前記弾性布の間には連結ブロックが設けられ、前記連結ブロックには上方に開口している開口溝が設けられ、前記開口溝の中には回転軸が回転できるように設けられ、前記回転軸には外ロックロッドが設けられ、前記外ロックロッドの中には隠れ溝が設けられ、前記回転軸には前記隠れ溝とスライドできるように連結された内ロックロッドが回転できるように連結され、前記内ロックロッドと前記外ロックロッドとの間にはトーションバネが連結され、
前記弾性布により長さを伸ばし、前記外ロックロッドと前記内ロックロッドとにより顎の固定を補助することを特徴とする請求項１に記載のメガネレンズ曇り止めマスク。
【発明の詳細な説明】
【技術分野】
【０００１】
本発明は生活用品技術分野を取り上げて、具体的にはメガネレンズ曇り止めマスクである。
【背景技術】
【０００２】
冬にマスクをつけることはメガネをかける人にとって、非常に苦しいことであり、マスクの密封性と人体の温かい呼気により、レンズが曇り、使用者に安全問題を招きかねなく、従って、曇りの影響を下げることができるマスクは業界発展の必然となるべきである。
【先行技術文献】
【特許文献】
【０００３】
【特許文献１】中国特許出願公開第１０５３６１２８６号明細書
【発明の概要】
【発明が解決しようとする課題】
【０００４】
本発明の目的はメガネレンズ曇り止めマスクを提供し、それは上記の現在の技術中の問題を解決できる。
【課題を解決するための手段】
【０００５】
本発明のメガネレンズ曇り止めマスクは、フェイスカバーを含み、前記フェイスカバーの中には後方に開口している上向きの呼吸チャンバが設けられ、前記呼吸チャンバの頂端端面には伸縮できる多重スライドドアが設けられ、前記多重スライドドアの下側と前記フェイスカバーの頂端端面の間には圧縮バネが連結され、前記多重スライドドアの上側には鼻筋とくっつくことができる鼻覆い部品が設けられ、前記呼吸チャンバの中には前記多重スライドドアの下端に位置しているノーズパッド装置が左右に対称的に設けられ、前記呼吸チャンバの内壁には前記ノーズパッド装置の下端に位置している直角管が左右に対称的に連通するように設けられ、前記直角管の上端には冷却箱が固定的に連結され、前記冷却箱の中には直角管と連通するように連結された吸気口が設けられ、前記冷却箱の中には転化装置が設けられ、前記呼吸チャンバの内壁には左右に対称する冷却管が連通するように設けられ、前記冷却管の中には上下に対称する片開きドアが回転できるように連結され、前記冷却管の中には前記片開きドアのうち前記呼吸チャンバから離れている側に位置している位置制限リングが設けられ、前記呼吸チャンバの底端内壁には挟み装置が設けられ、
前記多重スライドドアと、前記ノーズパッド装置と前記挟み装置との間の調整協働を移動することにより、前記フェイスカバーを口と鼻とのところに固定して密封し、温かい呼気が前記冷却箱を経由して前記転化装置の中に入り、呼気が降温し濾過された後にまた前記冷却管を経由して改めて呼吸チャンバの中に戻り、温かい呼気の上昇量を下げる。
【０００６】
優選の技術プランとして、、前記ノーズパッド装置は前記呼吸チャンバの内壁に固定的に連結された且つ左右に対称するスライドレールを含み、前記スライドレールの中には伸縮ロッドがスライドできるように連結され、前記伸縮ロッドのうち対称中心から離れている側端面と前記スライドレールのうち対称中心に近接している側内壁との間には調整バネが連結され、前記伸縮ロッドには前記伸縮ロッドと弾性的に連結された調整板が回転できるように連結され、
前記伸縮ロッドが前記スライドレールでスライドすることにより間隔を調整し、また前記調整板の反転により鼻筋にくっつくことができる。
【０００７】
優選の技術プランとして、前記転化装置には前記冷却箱の中に設けられ、且つ前記吸気口と連通している転化チャンバが含まれ、前記転化チャンバの中には前記冷却管と連通するように連結された排気口が設けられ、前記冷却箱の中には前記転化チャンバの後端に位置している伝動チャンバが設けられ、前記転化チャンバの後端内壁には駆動軸が回転できるように設けられ、前記駆動軸には前記転化チャンバの中に回転できるローターが設けられ、前記駆動軸には前記伝動チャンバの中に位置している下プーリーが設けられ、前記転化チャンバの頂端内壁には凹溝が連通するように設けられ、前記冷却箱の中には前記凹溝の上端に位置している開閉チャンバが設けられ、前記開閉チャンバの底端内壁にはスライドロッドがスライドできるように連結され、前記スライドロッドには前記凹溝の中に位置しているバルブが設けられ、前記スライドロッドには前記開閉チャンバの中に位置している当接板が設けられ、前記当接板の下側と前記開閉チャンバの底端内壁との間には復帰バネが連結され、前記開閉チャンバの後端内壁の中には伝動軸が回転できるように設けられ、前記伝動軸には前記当接板と当接しているカムが設けられ、前記伝動軸には前記伝動チャンバの中に位置している上プーリーが設けられ、前記上プーリーと前記下プーリーとの間にはベルトが連結され、前記冷却箱の中には前記凹溝のうち対称中心から離れている側に位置しており、且つ前記バルブと連通するように連結された保存チャンバが設けられ、
前記ローターの回転により、前記バルブと前記保存チャンバとを連通させ、呼気を冷却し浄化させ、そして排気口から排出する。
【０００８】
優選の技術プランとして、前記挟み装置には前記呼吸チャンバの底端内壁に固定的に連結され、且つ左右に対称する弾性布が含まれ、前記弾性布の間には連結ブロックが設けられ、前記連結ブロックには上方に開口している開口溝が設けられ、前記開口溝の中には回転軸が回転できるように設けられ、前記回転軸には外ロックロッドが設けられ、前記外ロックロッドの中には隠れ溝が設けられ、前記回転軸には前記隠れ溝とスライドできるように連結された内ロックロッドが回転できるように連結され、前記内ロックロッドと前記外ロックロッドとの間にはトーションバネが連結され、
前記弾性布により長さを伸ばし、前記外ロックロッドと前記内ロックロッドとにより顎の固定を補助する。
【発明の効果】
【０００９】
本発明はフェイスカバー式の構造を利用し、マスクを直接に鼻と口のところに覆い、また調整可能の固定構造により異なった鼻筋の高さと顎の長さとを対応でき、密封性を保証し、同時に、気体ガイドの方式により呼気を濾過し冷却させ、温かい呼気の上昇によりメガネが曇る確率を下げる。
【図面の簡単な説明】
【００１０】
説明しやすいため、本発明は以下の具体的な実施例と付図を交え詳しく説明する。
【００１１】
【図１】図１は本発明のメガネレンズ曇り止めマスクの全体構成略図
【図２】図２は図１のＡ−Ａの構成略図
【図３】図３は図１のＢの拡大構成略図
【図４】図４は図１の挟み装置が連結されたところの３Ｄ立体略図
【発明を実施するための形態】
【００１２】
以下、図１〜４を合わせて本発明について詳しく説明し、また、説明の便利を図るため、下記に記載の上下左右前後方向が図１自身の投影関係の上下左右前後方向と一致することにする。
【００１３】
本発明のメガネレンズ曇り止めマスクは、フェイスカバー１１を含み、前記フェイスカバー１１の中には後方に開口している上向きの呼吸チャンバ１２が設けられ、前記呼吸チャンバ１２の頂端端面には伸縮できる多重スライドドア３０が設けられ、前記多重スライドドア３０の下側と前記フェイスカバー１１の頂端端面の間には圧縮バネ２９が連結され、前記多重スライドドア３０の上側には鼻筋とくっつくことができる鼻覆い部品３１が設けられ、前記呼吸チャンバ１２の中には前記多重スライドドア３０の下端に位置しているノーズパッド装置９０１が左右に対称的に設けられ、前記呼吸チャンバ１２の内壁には前記ノーズパッド装置９０１の下端に位置している直角管１８が左右に対称的に連通するように設けられ、前記直角管１８の上端には冷却箱１５が固定的に連結され、前記冷却箱１５の中には直角管１８と連通するように連結された吸気口１６が設けられ、前記冷却箱１５の中には転化装置９０２が設けられ、前記呼吸チャンバ１２の内壁には左右に対称する冷却管４７が連通するように設けられ、前記冷却管４７の中には上下に対称する片開きドア４９が回転できるように連結され、前記冷却管４７の中には前記片開きドア４９のうち前記呼吸チャンバ１２から離れている側に位置している位置制限リング４８が設けられ、前記呼吸チャンバ１２の底端内壁には挟み装置９０３が設けられ、
前記多重スライドドア３０と、前記ノーズパッド装置９０１と前記挟み装置９０３との間の調整協働を移動することにより、前記フェイスカバー１１を口と鼻とのところに固定して密封し、温かい呼気が前記冷却箱１５を経由して前記転化装置９０２の中に入り、呼気が降温し濾過された後にまた前記冷却管４７を経由して改めて呼吸チャンバ１２の中に戻り、温かい呼気の上昇量を下げる。
【００１４】
有益的には、前記ノーズパッド装置９０１は前記呼吸チャンバ１２の内壁に固定的に連結された且つ左右に対称するスライドレール２８を含み、前記スライドレール２８の中には伸縮ロッド１４がスライドできるように連結され、前記伸縮ロッド１４のうち対称中心から離れている側端面と前記スライドレール２８のうち対称中心に近接している側内壁との間には調整バネ２７が連結され、前記伸縮ロッド１４には前記伸縮ロッド１４と弾性的に連結された調整板１３が回転できるように連結され、
前記伸縮ロッド１４が前記スライドレール２８でスライドすることにより間隔を調整し、また前記調整板１３の反転により鼻筋にくっつくことができる。
【００１５】
有益的には、前記転化装置９０２には前記冷却箱１５の中に設けられ、且つ前記吸気口１６と連通している転化チャンバ３６が含まれ、前記転化チャンバ３６の中には前記冷却管４７と連通するように連結された排気口１７が設けられ、前記冷却箱１５の中には前記転化チャンバ３６の後端に位置している伝動チャンバ３２が設けられ、前記転化チャンバ３６の後端内壁には駆動軸３４が回転できるように設けられ、前記駆動軸３４には前記転化チャンバ３６の中に回転できるローター３５が設けられ、前記駆動軸３４には前記伝動チャンバ３２の中に位置している下プーリー３３が設けられ、前記転化チャンバ３６の頂端内壁には凹溝３８が連通するように設けられ、前記冷却箱１５の中には前記凹溝３８の上端に位置している開閉チャンバ４４が設けられ、前記開閉チャンバ４４の底端内壁にはスライドロッド３９がスライドできるように連結され、前記スライドロッド３９には前記凹溝３８の中に位置しているバルブ３７が設けられ、前記スライドロッド３９には前記開閉チャンバ４４の中に位置している当接板４１が設けられ、前記当接板４１の下側と前記開閉チャンバ４４の底端内壁との間には復帰バネ４０が連結され、前記開閉チャンバ４４の後端内壁の中には伝動軸４３が回転できるように設けられ、前記伝動軸４３には前記当接板４１と当接しているカム４２が設けられ、前記伝動軸４３には前記伝動チャンバ３２の中に位置している上プーリー４５が設けられ、前記上プーリー４５と前記下プーリー３３との間にはベルト４６が連結され、前記冷却箱１５の中には前記凹溝３８のうち対称中心から離れている側に位置しており、且つ前記バルブ３７と連通するように連結された保存チャンバ５０が設けられ、
前記ローター３５の回転により、前記バルブ３７と前記保存チャンバ５０とを連通させ、呼気を冷却し浄化させ、そして排気口１７から排出する。
【００１６】
有益的には、前記挟み装置９０３には前記呼吸チャンバ１２の底端内壁に固定的に連結され、且つ左右に対称する弾性布１９が含まれ、前記弾性布１９の間には連結ブロック２０が設けられ、前記連結ブロック２０には上方に開口している開口溝２１が設けられ、前記開口溝２１の中には回転軸２６が回転できるように設けられ、前記回転軸２６には外ロックロッド２４が設けられ、前記外ロックロッド２４の中には隠れ溝２２が設けられ、前記回転軸２６には前記隠れ溝２２とスライドできるように連結された内ロックロッド２３が回転できるように連結され、前記内ロックロッド２３と前記外ロックロッド２４との間にはトーションバネ２５が連結され、
前記弾性布１９により長さを伸ばし、前記外ロックロッド２４と前記内ロックロッド２３とにより顎の固定を補助する。
【００１７】
初期状態に、カム４２の長い一端と前記当接板４１とが当接しており、スライドロッド３９によりバルブ３７を押し動かして凹溝３８の下端に近接しているところに位置させ、バルブ３７と保存チャンバ５０との位置をずれさせる。
【００１８】
装置が作動する時、まず弾性布１９を下に移動し、外ロックロッド２４を回転させ、内ロックロッド２３を隠れ溝２２の中から滑り出させ、顎を外ロックロッド２４と内ロックロッド２３との間に置け、その時、鼻覆い部品３１を引き動かし、多重スライドドア３０のスライド延伸により、自分の鼻筋に適する高度になるまで伸縮ロッド１４をスライドレール２８の中にスライドさせ、鼻筋の幅の間隔を調整し、また調整板１３が鼻筋にくっつくことによりマスクが口と鼻とを完全に覆い、普通に呼気する時、温かい呼気が直角管１８を経由して吸気口１６から転化チャンバ３６の中に入り、またローター３５を吹き回転させ、駆動軸３４により下プーリー３３を回転させ、下プーリー３３がベルト４６により動力を上プーリー４５に伝達し、伝動軸４３によりカム４２を回転連動させ、復帰バネ４０の弾性が回復するため、当接板４１を上に押し動かして上に移動し、スライドロッド３９を上に移動連動させ、バルブ３７と保存チャンバ５０との間を連通させ、呼気を濾過し冷却させ、そして排気口１７を経由して冷却管４７の中に排出し、冷却管４７が片開きドア４９を吹き動かし、  片開きドア４９が対称中心側に向かって移動し、冷却された呼気を呼吸チャンバ１２の中に運び温かい呼気の上昇量を下げ、同時に、位置制限リング４８の存在により、片開きドア４９が片方向にしか回転できない。
【００１９】
本発明の有益効果は：本発明はフェイスカバー式の構造を利用し、マスクを直接に鼻と口のところに覆い、また調整可能の固定構造により異なった鼻筋の高さと顎の長さとを対応でき、密封性を保証し、同時に、気体ガイドの方式により呼気を濾過し冷却させ、温かい呼気の上昇によりメガネが曇る確率を下げる。
【００２０】
上記の方式により、当業者は本発明と同様の範囲で運用モードに基づいて様々な変更が可能である。
【図１】
2020176363.tif 000003
【図２】
2020176363.tif 000004
【図３】
2020176363.tif 000005
【図４】
2020176363.tif 000006